(57)【特許請求の範囲】
【請求項１】
すくなくとも室外側に施解錠操作用のシリンダーを備えた扉錠において、キーによる施錠操作の前後あるいは途中においてシリンダーが第１位置と第２位置との間を前後動可能であって、常時は前記第１位置側に保持されているとともにシリンダーの前後動に連動して作動される作動部材を備え、シリンダーの第１位置から第２位置への移動によって前記作動部材が作動されてシリンダーあるいはシリンダーが収納された座内に設けたスイッチをＯＮすると共に扉錠の施錠状態ではスイッチのＯＮ状態が保持され、シリンダーは元の（第１）位置に復帰するようにし、一方キーによる解錠操作によって作動部材が元の（第１）位置に復帰すると共に前記スイッチがＯＦＦされるようにし、上記ＯＮ，ＯＦＦ信号を防犯監視制御盤に送り防犯監視モードをＯＮ，ＯＦＦするようにしてなることを特徴とする防犯装置。
【請求項２】
シリンダーの内筒が、キーによる施錠操作の前後あるいは途中において前後動可能な状態となるようにし、内筒の第１位置から第２位置への移動および第２位置から第１位置への復帰によってスイッチをＯＮ，ＯＦＦするようにしたことを特徴とする請求項１に記載の防犯装置。
【請求項３】
シリンダーにキーが挿入された時にＯＮとなるキーの検出スイッチを設け、そのキー検出スイッチがＯＮの状態のときのみに、シリンダーあるいは内筒の第１位置から第２位置への移動によるスイッチのＯＮ信号を防犯監視制御盤に送るようにしたことを特徴とする請求項１または２に記載の防犯装置。
【発明の詳細な説明】
【０００１】
【発明の属する技術分野】
本発明は、建物等の出入り口等に設けられる錠のシリンダーをキー操作することにより錠を施錠すると共に、必要に応じてシリンダーを前後動させることによって信号を出力し、例えば、戸建住宅やマンション等の防犯あるいは管理を行う監視装置等のシステム制御装置を制御するようにした防犯装置に関するものである。
【０００２】
【従来の技術】
従来の監視装置は、建物内に違法侵入があったときに制御盤へ検出信号を出力するセンサを窓や扉等の開口部に設けており、出入口扉の近傍にＯＮ，ＯＦＦを行う監視専用スイッチを取り付けるのが一般である。
この防犯装置は、住人がスイッチをＯＮ操作すると監視モードになり、出入口扉の扉錠を施錠して外出すれば監視モードは維持され、この不在時に、不法侵入者が錠を破壊するなどして侵入した場合、侵入者は監視専用スイッチに気付かないため、予め定められた時間（例えば３０秒）内にスイッチはＯＦＦされないので、警報を発したり、監視センターに通報を行うなどの方法により空き巣被害などを未然に防止することができる。そして住人が帰宅して扉錠を解錠した後、予め定められた時間内にスイッチをＯＦＦ操作すると、監視モードが解除されるため、通常の生活が可能になる。
また、シリンダーにスイッチを設け、キーによる施錠解錠操作に連動してスイッチがＯＮ，ＯＦＦされるようにしたものがあるが、この場合、防犯監視モードをＯＮにする必要がない時でもキーで施錠すると必ず防犯監視モードがＯＮとなる。
【０００３】
【発明が解決しようとする課題】
ところで、上記従来の前者のような監視装置を設けていると、住人は外出時に監視専用スイッチをＯＮに操作してからキーで扉錠を施錠し、帰宅時にこの扉錠を解錠した後でスイッチをＯＦＦに操作する必要がある。
よって、外出時及び帰宅時のいずれにおいても、常に２つの操作を要することから、出入りが面倒になるうえ、急いで外出するとき、あるいは、帰宅したときにスイッチの操作を忘れる等の問題がある。
また、上記従来の後者のものでは、例えば室内に誰かが居る時に、キーで施錠して外出する場合など、防犯監視モードをＯＮする必要がなくても自動的にＯＮされるし、監視モードをＯＦＦするためにはキーで解錠操作をしなければならないという不都合があった。
本発明は、上記課題に鑑みてなされたもので、ＲＡＭ  等の記憶手段を使用することなく、キーの施錠操作時に、必要に応じて、防犯管理等を行うシステム制御装置をＯＮするとともに、キーの解錠操作時には自動的にシステム制御装置が必ずＯＦＦされるようにして、日常的で煩瑣なスイッチ操作を不要にすると共に、制御スイッチの切り忘れによる不都合を防止することができると共に、キーで施錠して外出する場合でも、室内に誰かが居る場合など、防犯監視モードをＯＮすることなく施錠でき非常に便利な防犯装置を提供することを目的としている。
【０００４】
【課題を解決するための手段】
上記目的を達成するため、本発明のうち請求項１に記載の発明は、すくなくとも室外側に施解錠操作用のシリンダーを備えた扉錠において、キーによる施錠操作の前後あるいは途中においてシリンダーが第１位置と第２位置との間を前後動可能であって、常時は前記第１位置側に保持されているとともにシリンダーの前後動に連動して作動される作動部材を備え、シリンダーの第１位置から第２位置への移動によって前記作動部材が作動されてシリンダーあるいはシリンダーが収納された座内に設けたスイッチをＯＮすると共に扉錠の施錠状態ではスイッチのＯＮ状態が保持されるようにし、一方、キーによる解錠操作によってシリンダーが元の（第１）位置に復帰すると共に前記スイッチがＯＦＦされるようにし、上記ＯＮ，ＯＦＦ信号を防犯監視制御盤に送り防犯監視モードをＯＮ，ＯＦＦするようにしてなることを特徴とする防犯装置である。
また請求項２に記載の発明は、シリンダーの内筒が、キーによる施錠操作の前後あるいは途中において前後動可能な状態となるようにし、内筒の第１位置から第２位置への移動および第２位置から第１位置への復帰によってスイッチをＯＮ，ＯＦＦするようにしたことを特徴とするものである。
また請求項３に記載の発明は、シリンダーにキーが挿入された時にＯＮとなるキーの検出スイッチを設け、そのキー検出スイッチがＯＮの状態のときのみに、シリンダーあるいは内筒の第１位置から第２位置への移動によるスイッチのＯＮ信号を防犯監視制御盤に送るようにしたことを特徴とするものである。
【０００５】
【発明の実施の形態】
以下、本発明の実施の形態について、図示例を参照しながら説明する。
図１は、本発明の実施の形態に係る防犯装置を設けた扉を示す斜視図であり、図２は、同防犯装置の各部を示す分解斜視図である。図３は、図２の一部の部材を反対側からみた分解斜視図である。
図示の防犯装置１０は、出入口の扉１に取り付けられる扉錠２のハンドル３，４の座３ａに設けられ、キーＫによって、施錠・解錠されるとともに、必要に応じてシステム制御装置である監視装置４０をＯＮ／ＯＦＦ動作させる構成になっている。なお、キーをサムターンとした場合にも可能である。
扉１は、扉錠２を埋設し、内外面にハンドル３，４および座３ａ，４ａを取り付けている。
扉錠２は、シリンダー９を有し、扉１内の錠ケースに枢支されたハブ（図示せず）、このハブの回転により錠ケースの前板５から出没する錠杆であるデッドボルト６、バネにより前板５から出没自在に押圧付勢されたラッチボルト７等を備えている。
ハンドル３は、上端部が前後動可能に座３ａに保持されており、下端部が座に枢支保持されている従来公知のプッシュプルハンドルである。
シリンダー９は、外筒１２内に回動自在に嵌装された内筒８と、常時は内筒８の回動を阻止し、キーＫを挿入した時にのみ内筒８の可動を許容する上下ピンタンブラーおよびその付勢ばね（図示せず）とによって構成される従来公知のものであり、座３ａに前後動可能に嵌装してある。また、シリンダー９の外筒１２の外周には、ガイド部材１１が一体的に保持されている。そして後記するようにキーＫで内筒８を９０°回した状態でシリンダー９を押し込み、外筒１２と一体のガイド部材１１を押し込んでスイッチをＯＮさせる。
【０００６】
この防犯装置１０は、室外側に施解錠操作用のシリンダー９を備えた扉錠２であり、キーＫによる施錠操作の前後あるいは途中においてシリンダー９が第１位置である押し込む前の位置と第２位置である押し込んだ位置との間を前後動可能であって、常時は前記第１位置に保持されているとともに、シリンダー９の前後動に連動して作動される作動部材である揺動部材１５を備え、シリンダー９の第１位置から第２位置への移動によって前記揺動部材１５が作動されてシリンダー９あるいはシリンダー９が収納された座３ａ内に設けたスイッチ１７をＯＮすると共に扉錠２の施錠状態ではスイッチ１７のＯＮ状態が保持されるようにし、一方キーＫによる解錠操作によってシリンダー９が元の第１位置に保持されると共に前記スイッチ１７がＯＦＦされるようにし、上記ＯＮ，ＯＦＦ信号を防犯監視制御盤に送り防犯監視モードをＯＮ，ＯＦＦするようにしてなる。
図示のガイド部材１１は、外周面の３箇所にガイド溝１１ａを形成してある。ガイド溝１１ａが座３ａの内面に形成された案内部３ｃに沿って前後摺動可能に形成されている。
また、この外周面の上端にスイッチ保持部１１ｂを設け、このスイッチ保持部１１ｂにスイッチ１７を取り付けている。このスイッチ１７は、例えばマイクロスイッチからなり、アクチュエータ１７ａが後記の押動部１７ｂによって押し込まれ、押動された時にＯＮとなり、離反した時にＯＦＦとなる。そして、その信号が前述の監視装置４０に送られる。
【０００７】
回動部材１３は、図２に示す如く、内筒８の先端部にシャフトが一体的に保持されており、キーによる施錠・解錠操作時に内筒８と一体的に回動し、またシリンダー９と一体となって前後動する。そして後端側から略中央までを円柱状に、略中央より前端側までを略直方体状に形成している。そして、後端には、キーＫを挿入するキー孔１３ａを設けてあり、外筒１２より前に出た円柱状部分の外周面には径外方向へ延出する操作部材１８を突設している。
この操作部材１８は、回動部材１３の軸方向に対し直角な方向へ突出されており、図示の例では、キー孔１３ａがニュートラル位置のとき、操作部材１８が水平方向となるようにしている。
そして、キーＫをニュートラル位置から右へ９０度回転させて施錠位置にすると、操作部材１８も回動して下方に向き、さらに、キーＫをニュートラル位置から左へ９０度回転させて水平方向の解錠位置にすると、操作部材１８も回動して上方に向くようになっている。
揺動部材保持ブロック１４は揺動部材１５を軸支しており、図２および図３に示すように、本体１９が略矩形状で、この本体１９の上下を半円形状に延出させている。そして、本体１９の中央に回動部材１３を挿通させる挿通孔１４ａが形成されるとともに、上端と下端の左右にネジ挿通孔１４ｂが形成されている。
なお、挿通孔１４ａの周縁における上部側には、略扇状の横窓１４ｃを開設しており、後記する揺動部材１５に突設した解除当接部３０を出没可能としている。また、下部側には縦窓１４ｄを形成して、後記する揺動部材１５に突設した当接部２９を出没可能としている。さらに、横窓１４ｃと上端側のネジ挿通孔１４ｂとの間には、バネ挿通孔１４ｅを穿設してある。
【０００８】
また、この揺動部材保持ブロック１４は、本体１９の後面に隆起部２０が、前面に凹状部２１が設けられており、この凹状部２１に揺動部材１５が収納保持されるようになっている。
隆起部２０は、中央に挿通孔１４ａよりも略大径の開口２０ａを開設してある。そして、この開口２０ａの上下を切り欠き、内周縁の左右を凹ませて、前記シリンダー９の外筒１２のガイド部１２ａが嵌入されるガイド凹部２０ｂを形成している。なお、隆起部２０の各コーナーには、前後可動に設けたシリンダー９を後方に付勢するためのバネ２２の一端部を収納するバネ収納孔２０ｃが設けられている。
凹状部２１は、内周縁の左右から中心に向く一対の延出部２３，２３を配設し、下端にバネ２７および小球２６を収納する収納溝２５を形成してある。
延出部２３は、対向する各端面に半円形の軸受２３ａをそれぞれ形成し、揺動部材１５の支軸１５ｂを枢支可能としている。また、各延出部２３の前端面には、取付ネジ２４を螺入するネジ孔２３ｂがそれぞれ設けられている。
前記収納溝２５は、挿通孔１４ａの下縁から下方に細幅に切り欠き形成されており、小球２６と、この小球２６を揺動部材に押し当てるバネ２７とが収納保持されて、揺動部材１５をシーソー状態に揺動させ、各揺動位置に制止させるようになっている。
【０００９】
この揺動部材１５は、縦断面略菱形状の板状体で、中央に部材挿通孔１５ａが形成されている。そして、左右両側部に支軸１５ｂ，１５ｂを突設してあり、この支軸１５ｂが前記揺動部材保持ブロック１４の軸受２３ａに軸支されて前後方向にシーソー状態に揺動可能に保持される。
また、揺動部材１５の上端側をバネ係止部１５ｃとしており、このバネ係止部１５ｃにスイッチバネ２８の一端が係止される。なお、このスイッチバネ２８の他端には、前記スイッチ１７のアクチュエータ１７ａが当接するようにされている。
この揺動部材１５は、バネ係止部１５ｃの後面側のやや下部に、左右に傾斜面を有する略三角形の解除当接部３０を突設してある。また、部材挿通孔１５ａを挟む解除当接部３０の反対側の後面には、凸状の当接部２９を突設している。解除当接部３０は当接部２９より後方に高く突出されている。これにより、前記したシリンダー９を押し込まないで操作部材１８を回転した場合であって、揺動部材１５の解除当接部３０が後方位置となるように揺動しているとき、操作部材１８が解除当接部３０に当接して解除当接部３０を押し上げて揺動部材１８を揺動するとともに、同様にシリンダー９を押し込まないで操作部材１８を回転した場合、操作部材１８は当接部２９には当接しないかあるいは押し上げできない程度にしている。
なお、揺動部材１５の下端面は、中心が高くなるように前後面を傾斜させた前後部傾斜面１５ｄ，１５ｅに形成してあり、この前後部傾斜面１５ｄ，１５ｅの何れかに小球２６が当接して、揺動部材１５をシーソー状態に揺動位置で安定保持させるようになっている。即ちクリック装置の作用を果している。
前記蓋部材１６は、揺動部材保持ブロック１４の前面を施蓋する形状に形成されており、中央に部材挿通孔１６ａが形成されている。また、この部材挿通孔１６ａの左右に、取付ネジ３１を挿通するネジ挿通孔１６ｂ，１６ｂが穿設されている。
【００１０】
次に、上記防犯装置の組み付け作業について説明する。
この防犯装置１０は、ハンドル３の座３ａに組み付けてから扉錠２に対し一体的に取り付ける。
まず、ガイド部材１１に外筒１２を緩挿し固定しておく。
そして、ハンドル３の座３ａの内面にガイド部材１１を前後摺動可能に設置する。例えば、座３ａのガイド部３ｃに、ガイド部材１１のガイド溝１１ａを嵌挿する。これによって、ガイド部材１１がハンドル３の座３ａに摺動可能に保持される。
【００１１】
つぎに、揺動部材保持ブロック１４を座３ａに組み付ける。このときは、図３に示す如く予め隆起部２０の各バネ収納孔２０ｃにバネ２２をそれぞれ収納しておく。そして、揺動部材保持ブロック１４の挿通孔１４ａに回動部材１３の前部側を挿通し、ガイド凸部１２ａに揺動部材保持ブロック１４のガイド凹部２０ｂを嵌入する。  すると、４本のバネ２２の他端がガイド部材１１の前端面に当接し、このガイド部材１１と揺動部材保持ブロック１４との間に介在する。この状態で、揺動部材保持ブロック１４の各ネジ挿通孔１４ｂに、取付ネジ２４を挿通し、座３ａの内面に突設された図示しない取付柱のネジ孔にそれぞれ螺入する。これにより、ガイド部材１１の前端側が揺動部材保持ブロック１４より突出した状態で、座３ａに固着される。このとき、４本のバネ２２によりガイド部材１１が押圧付勢されるので、ガイド部材１１が後方に付勢された状態で、後端面が座３ａのストッパー３ｂに当接している。
このようにガイド部材１１がストッパー３ｂに当接する状態が第１位置であり、キーＫで回動部材１３を９０°回転した状態即ち操作部材１８が下方に位置した状態でガイド部材１１が押し込み可能となり、ガイド部材１１を押し込むことによってバネ２２が圧縮され、ガイド部材１１が前方に移動した状態が第２位置である。
また、前後動可動部材１１が第１位置にあるとき、回動部材１３に突設された操作部材１８は、揺動部材保持ブロック１４の後方で施錠位置と解錠位置の間を回転可能となっている。
【００１２】
続いて、揺動部材保持ブロック１４に揺動部材１５を収納する。このときは、図２に示すように、揺動部材保持ブロック１４の収納溝２５にバネ２７を収納し、このバネ２７の上端に小球２６を保持しておく。また、スイッチバネ２８の他端に押動部１７ｂを固着した状態で、この押動部１７ｂ側を揺動部材保持ブロック１４のバネ挿通孔１４ｅに挿通しておく。
そして、揺動部材１５の当接部２９および解除当接部３０側を揺動部材保持ブロック１４側に向け、回動部材１３の前端側に揺動部材１５の部材挿通孔１５ａを挿通し、さらに、揺動部材保持ブロック１４の軸受２３ａに揺動部材１５の支軸１５ｂをそれぞれ支持する。
このとき、図４に示す如く小球２６に揺動部材１５の前部傾斜面１５ｅが接するよう、揺動部材１５の下部側を揺動部材保持ブロック１４の凹状部２１内の側面に当接させる。
また、押動部１７ｂに当接するスイッチバネ２８の一端を揺動部材１５のバネ係止部１５ｃに当接可能に取り付けておく。
【００１３】
この状態で、揺動部材保持ブロック１４の凹状部２１側に蓋部材１６をあてがい、この蓋部材１６のネジ挿通孔１６ｂから各延出部２３のネジ孔２３ｂに取付ネジ２４をそれぞれ螺入する。
これにより図５に示すように、座３ａに対し防犯装置１０が組み付けられる。このとき揺動部材１５は、回動部材１３の回転中心部を支点にして組み付けられており、しかもバネ２７に保持された小球２６が前部傾斜面１５ｅを押圧しているため、揺動部材１５は傾斜したまま制止している。
このときは、揺動部材保持ブロック１４の縦窓１４ｄ内に揺動部材１５の当接部２９が位置している。一方、蓋部材１６の内側面に揺動部材１５の上半部前面が当接し、解除当接部３０が横窓１４ｃ内にあってシリンダー９側に突出しない状態に保たれている。
さらに、アクチュエータ１７ａと押動部１７ｂとは、非押動状態に保たれ、スイッチ１７はＯＦＦになっている。
【００１４】
この後、防犯装置１０を備えた座３ａを扉１に取り付ける。室内からサムターン側の回動部材を、室外よりシリンダー９をそれぞれ挿入して、室内外の扉面にハンドル３，４を組み付ける。
これにより、図１に示す如く扉１の内外両面にハンドル３，４の座３ａ，４ａおよびサムターン（図示せず）、シリンダー９が取り付けられ、扉１の開放端に固着した前板５からデッドボルト６とラッチボルト７とが出没自在となっている。
そして、室外側からシリンダー９を動作させ、室内側からサムターンを操作することにより、施錠または解錠することができる。
なお、この防犯装置１０の組み付け時に、スイッチ１７に接続されたリード線を監視装置に接続しておく。
この監視装置は、建物の室内に不審者の侵入があったときに警報を発するもので、違法侵入を検出するセンサを窓や開口部等に配設している。
このように構成された監視装置は、防犯装置１０から０Ｎ信号が送出されると、監視モードにセットされて各センサによる検出動作を開始する。
一方、防犯装置１０から０ＦＦ信号が送出されると、監視モードが解除されて検出動作を停止させる。
【００１５】
次に、上記防犯装置の動作について説明する。ところで、ハブと回動部材１３との関係は、図示しないが、回動部材１３とハブの係合孔とは約９０°のアソビが設けてあり、回動部材１３の９０°の回転によりハブが回動されてデッドボルト６が突出して施錠され、キーＫを抜くには反対方向（アソビ方向）に９０°回して抜くようにした従来公知の構成を採用している。
尚、シリンダー９の内筒８からキーＫを抜いたニュートラル状態では、図２、図３から判るように、操作部材１８が、揺動部材保持ブロック１４の挿通孔１４ａの周囲の段部２０ｄに規制されて、シリンダー９を押し込むことができない。まず、扉錠２を解錠した状態において、住人が扉１を閉めて室外側からシリンダー９の内筒８のキー孔１３ａにキーＫを挿入し内筒８を時計方向に約９０°回転させると、内筒８と一体的に回動部材１３が回動し錠ケース内のハブが連動することにより、デッドボルト６が突出して施錠される。
このとき、図５に示すように、操作部材１８は揺動部材保持ブロック１４の縦窓１４ｄに対応する位置にくるので、シリンダー９はバネ２２に抗して押し込み可能な状態となる。
この状態で、シリンダー９を押し込まず、キーＫを反時計方向に回動しニュートラル位置に戻して抜くと、スイッチ１７はＯＮされないので防犯装置１０は動作せず、従って、前記監視装置が監視モードにＯＮされないから、家族等が在宅しているときに施錠したままで外出することができる。
【００１６】
一方、住人が監視装置を監視モードにＯＮしておきたいときは、前述のように施錠位置とした図５の状態でシリンダー９を前方へ押し込む。すると、操作部材１８は揺動部材保持ブロック１４の縦窓１４ｄに位置しているので前進可能であり、図６に示すように、シリンダー９が４本のバネ２２に抗して第１位置から第２位置に前進動する。
シリンダー９の前進動によりガイド部材１１が前進動したときに、揺動部材保持ブロック１４の縦窓１４ｄの位置にある揺動部材１５の当接部２９に操作部材１８が当接して押圧力を加えるため、収納溝２５内の小球２６が押し下げられる。
これに伴い、バネ２７が圧縮されて小球２６が下動するので、操作部材１８に押圧された揺動部材１５がシーソーの如く図５において時計方向に揺動する。そして、この揺動部材１５の前面下端が蓋部材１６の内側面に当接し、それ以上の揺動は阻止され、図６の状態となり、揺動部材１５の解除当接部３０が揺動部材保持ブロック１４の横窓１４ｃから後方に露出する。
このとき、バネ２７の圧縮が開放されて小球２６が上動するため、この小球２６に揺動部材１５の後部傾斜面１５ｄが接し、揺動部材１５の逆揺動が規制されて制止する。
【００１７】
また、揺動部材１５の揺動時にスイッチバネ２８がスイッチ１７側に移動するため、バネ２８のスイッチ側先端部に設けた押動部１７ｂによってスイッチ１７のアクチュエータ１７ａが押し込まれる。これにより、スイッチ１７がＯＮになってＯＮ信号が監視装置に送出される。
すると、この監視装置が監視モードにセットされて、センサによる違法侵入の監視が開始される。そして、住人がキーＫを反対方向に９０°回してニュートラル位置に戻して抜くと、シリンダー９の内筒８および回動部材１３、操作部材１８は、図２の元の状態に戻るが揺動部材１５は図６の状態を保持するので、監視装置がＯＮ状態に維持されたまま外出することができる。
この後、住人が帰宅したとき、キー孔１３ａにキーＫを挿入し反時計方向に回動させて解錠位置にすると、操作部材１８が図２の水平位置から上方に回動する。このとき、横窓１４ｃから露出している略三角形の解除当接部３０の傾斜面に操作部材１８が摺接し、押圧される。すると、揺動部材１５が逆方向に揺動し、図５の元の状態となる。
【００１８】
このとき揺動部材１５に係止されたスイッチバネ２８によるスイッチ１７のアクチュエータ１７ａに対する付勢力は解除され、これにより、スイッチ１７がＯＦＦになってＯＦＦ信号が監視装置に送出される。このため、監視装置の監視モードが解除され、センサによる警戒が解除される。
揺動部材１５が揺動して図５の状態に戻るときには、揺動部材１５の下端によって小球２６が押し下げられてバネ２７を一旦圧縮した後、揺動部材１５の下端面の前後傾斜面１５ｄ，１５ｅの境界を乗り越える。そして、境界を越えると小球２６が上動し揺動部材１５の前部傾斜面１５ｅを押圧する状態になり、図５に示したように、揺動部材１５を揺動位置に制止させる。
このときは、揺動部材１５の当接部２９が揺動部材保持ブロック１４の縦窓１４ｄから露出状態になる。また、ガイド部材１１が第１位置で、回動部材１３が解錠位置にあり、スイッチ１７がＯＦＦにされている。
これにより、システム制御装置が０ＦＦ状態に維持された状態となりセンサが検出動作しない状態となって、支障なく室内に入ることができる。
【００１９】
なお、上記実施の形態においては、防犯装置１０のシリンダー９をキーＫで内筒８を９０°回動した後に前方へ押し込むことにより、スイッチ１７をＯＮ動作させるようにしたが、シリンダー９を常時は押し込んだ状態とし、キーＫで９０°回動後引くことによってスイッチ１７をＯＮ動作させる構成としてもよい。
また、シリンダー９全体を押し込むことなく内筒８のみを押し込むことによりスイッチをＯＮさせるようにしてもよい。その場合は内筒８の先端部にスイッチを保持させておくとよい。その他キーを使わず特殊な道具による不当なピッキング操作により内筒を回動される場合に備えて、キーの検出器を別途設けることによりキーを使用することなく内筒が回動されてシリンダーあるいは内筒が押し込まれてもキー検出スイッチがＯＮとならない限り、スイッチ１７のＯＮ信号は監視装置に送られないか、あるいは送られても監視モードにセットされないようにすることもできる。
また、防犯装置１０のガイド部材１１と回動部材１３とを別体としたが、両者を一体化してもよい。この場合は、座３ａ内に両者が所定範囲で回動自在、かつ、前後動可能なように組み付ける。
また、防犯装置１０のスイッチ１７を監視装置に接続して建物の防犯を行うようにしたが、電灯やエアコンの電源回路に接続してこれらを施錠・解錠に応じてＯＮ／ＯＦＦさせる構成としてもよい。
また、前記した実施の形態においては、座３ａとハンドル３とが連続している場合について説明したが、図７に示すように、座３ａとハンドル３とを分離して設置し、この座３ａにシリンダー９を取り付けることにより防犯装置１０を設けてもよい。
また、防犯装置１０を自動車のドアキー内に組み付けて、盗難防止装置に接続し、ドアキーの施錠時にドアキーを押し込むことによって盗難防止装置を動作させ、解錠時に動作を解除させるようにすることもできる。
その他、スイッチ１７に換えて電波などの発信器を設け、シリンダーあるいは内筒を押し込むことによって発信器から信号を発信させ、それによって監視装置をＯＮ，ＯＦＦさせるようにしてもよい。この場合は、防犯装置と監視装置との間の煩わしい配線工事が不要となる。
【００２０】
【発明の効果】
以上説明したように、本発明のうち請求項１に記載の発明は、キーによる施錠操作の前後あるいは途中においてシリンダーが前後動可能となり、そのシリンダーの第１位置から第２位置への移動によって防犯監視装置がＯＮとなるようにしたので、外出の際に扉錠をキーで施錠する時に、必要に応じて、防犯監視装置をＯＮすることができるので便利である。即ち、長時間の外出の際には防犯監視装置をＯＮにして外出することができるし、室内に家族の誰かが居る場合や、短時間内に家族の誰かが帰宅することが判っている場合は、防犯監視装置をＯＮすることなく扉錠を施錠して外出することができる。また、そのＯＮ操作も扉錠のシリンダーを前後動させるだけでよく操作が簡単である。
また、防犯監視装置がＯＮ状態となっていても、帰宅時にキーで扉錠を解錠すると、必ず防犯監視装置はＯＦＦされるので、従来の如く防犯監視装置のリセット（ＯＦＦ）操作を忘れるという不都合が解消されるという効果がある。
またクレーム２に記載の発明では、シリンダーの内筒の前後動操作によって防犯監視装置をＯＮ，ＯＦＦさせるようにしたので、シリンダー全体の大きさを従来のものと同じ大きさとすることができる。従って、全体を小型化することができ、安価に提供することができることに加え、既設の扉錠であってもシリンダーのみを取り替えることによって本発明の防犯装置を提供することができるという効果がある。
またクレーム３に記載の発明では、シリンダーあるいはシリンダーの内筒の前後動によってＯＮ，ＯＦＦされるスイッチを、マイクロスイッチに替えて電波などの発信器とすることによって、このスイッチと防犯監視装置の制御盤との間を煩わしい配線工事の必要がない。
【図面の簡単な説明】
【図１】本発明の実施の形態に係る防犯装置を設けた扉を示す斜視図である。
【図２】防犯装置の各部を示す展開斜視図である。
【図３】防犯装置の揺動部材および揺動部材保持ブロックを示す展開斜視図である。
【図４】揺動部材および揺動部材保持ブロックを示す裏面図である。
【図５】防犯装置をハンドルに組み付けた状態を示す縦断面図である。
【図６】施錠時における防犯装置の動作を示す説明図である。
【図７】他の実施の態様を示す防犯装置を設けた扉を示す斜視図である。
【符号の説明】
１０  防犯装置
１１  ガイド部材
１２  外筒
１３  回動部材
１４  揺動部材保持ブロック
１５  揺動部材
１７  スイッチ
１８  操作部材
【図１】
0003587367.tif 000002
【図２】
0003587367.tif 000003
【図３】
0003587367.tif 000004
【図４】
0003587367.tif 000005
【図５】
0003587367.tif 000006
【図６】
0003587367.tif 000007
【図７】
0003587367.tif 000008